(57)【要約】      （修正有）【課題】非接触ＩＣカードと非接触型電子マネー決済端末装置とを用いた非接触型電子マネー決済時に、取引時間を増加させることなく、非接触ＩＣカードの不正利用を防ぐための本人認証を可能とする。【解決手段】認証用のＩＤタグを内蔵する指輪と、認証用のＩＤを格納する非接触ＩＣカードと、非接触型電子マネー決済端末１００とを備え、前記非接触型電子マネー決済端末１００は、前記指輪に内蔵されたＩＤタグよりＩＤを取得するＩＤタグリーダ１０３と、前記非接触ＩＣカードに格納された認証用のＩＤを取得する読み取り部１０２とを有し、前記指輪を装着した手で、前記非接触ＩＣカードを用いる非接触型電子マネー決済が行われた場合に、前記非接触型電子マネー決済端末１００が、前記ＩＤタグリーダ１０３で取得したＩＤと、前記読み取り部１０２で取得したＩＤとを比較し本人認証を行う。【選択図】図１
2009301205.tif 000002
【特許請求の範囲】
【請求項１】
認証用のＩＤタグを内蔵する指輪と、
認証用のＩＤを格納する非接触ＩＣカードと、
非接触型電子マネー決済端末とを備える非接触型電子マネー決済システムにおける本人認証方法であって、
前記非接触型電子マネー決済端末は、前記指輪に内蔵されたＩＤタグよりＩＤを取得するＩＤタグリーダと、
前記非接触ＩＣカードに格納された認証用のＩＤを取得する読み取り部とを有し、
前記指輪を装着した手で、前記非接触ＩＣカードを用いる非接触型電子マネー決済が行われた場合に、前記非接触型電子マネー決済端末が、前記ＩＤタグリーダで取得したＩＤと、前記読み取り部で取得したＩＤとを比較し本人認証を行うことを特徴する非接触型電子マネー決済システムにおける本人認証方法。
【発明の詳細な説明】
【技術分野】
【０００１】
本発明は、非接触型電子マネー決済システムにおける本人認証方法に係り、特に、非接触ＩＣカードの不正使用を防止するための本人認証方法に関する。
【背景技術】
【０００２】
近年、非接触ＩＣカードの普及に伴い、非接触ＩＣカードに電子マネーの機能を持たせて、取引時間を短縮するといった、利便性の向上を目的とした決済システムが知られている。（例えば、下記特許文献１参照）
【０００３】
なお、本願発明に関連する先行技術文献としては以下のものがある。
【特許文献１】特開２００６−９９７５０号公報
【発明の開示】
【発明が解決しようとする課題】
【０００４】
前述した非接触ＩＣカードと非接触型電子マネー決済端末装置とを用いた非接触型電子マネー決済では、一取引毎に非接触ＩＣカード利用者の本人認証を行うと、パスワードを入力するといった認証のための行動に時間を要し、取引時間が増加するといった問題が生じるため、非接触ＩＣカード利用者の本人認証を行っていない。
そのため、盗難等による非接触ＩＣカードの不正利用を防ぐことができないという問題点があった。
本発明は、前記従来技術の問題点を解決するためになされたものであり、本発明の目的は、非接触ＩＣカードと非接触型電子マネー決済端末装置とを用いた非接触型電子マネー決済時に、取引時間を増加させることなく、非接触ＩＣカードの不正利用を防ぐための本人認証が可能となる、非接触型電子マネー決済システムにおける本人認証方法を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
前述の目的を達成するために、本発明は、認証用のＩＤタグを内蔵する指輪と、認証用のＩＤを格納する非接触ＩＣカードと、非接触型電子マネー決済端末とを備える非接触型電子マネー決済システムにおける本人認証方法であって、前記非接触型電子マネー決済端末は、前記指輪に内蔵されたＩＤタグよりＩＤを取得するＩＤタグリーダと、前記非接触ＩＣカードに格納された認証用のＩＤを取得する読み取り部とを有し、前記指輪を装着した手で、前記非接触ＩＣカードを用いる非接触型電子マネー決済が行われた場合に、前記非接触型電子マネー決済端末が、前記ＩＤタグリーダで取得したＩＤと、前記読み取り部で取得したＩＤとを比較し本人認証を行うことを特徴する。
【発明の効果】
【０００６】
本願において開示される発明のうち代表的なものによって得られる効果を簡単に説明すれば、下記の通りである。
本発明の非接触型電子マネー決済システムにおける本人認証方法によれば、非接触ＩＣカードと非接触型電子マネー決済端末装置とを用いた非接触型電子マネー決済時に、取引時間を増加させることなく、非接触ＩＣカードの不正利用を防ぐための本人認証が可能となる。
【発明を実施するための最良の形態】
【０００７】
以下、図面を参照して本発明の実施例を詳細に説明する。
なお、実施例を説明するための全図において、同一機能を有するものは同一符号を付け、その繰り返しの説明は省略する。
図１は、本発明の実施例の非接触型電子マネー決済システムにおける本人認証方法を実現するための非接触型電子マネー決済端末装置の制御ブロック図である。
図１において、１００は非接触型電子マネー決済端末装置、１０１は処理結果・エラーメッセージを出力するためのメッセージ出力部、１０２は非接触ＩＣチップに対して読取／書込みを行う非接触ＩＣチップリーダライタ部、１０３はＩＤタグに対して読取を行うＩＤタグリーダ部、１０４は効果音を鳴らすための音声部、１０５は非接触型電子マネー決済端末の中枢をコントロールする制御部、１０６は非接触型電子マネー決済端末の各種アプリケーションやデータベースを格納する主記憶装置、１０７は非接触型電子マネー決済端末全体に電源を供給する電源部、１０８はカード決済端末に接続するための通信回線である。
図２は、本実施例の非接触型電子マネー決済システムにおける本人認証方法を実現するためのＩＤタグ内蔵指輪の外観構造図を説明する図である。
図２において、２００は指輪、２０１はＩＤタグを示す。
図３は、本実施例の非接触型電子マネー決済システムにおける本人認証方法を実現するための非接触ＩＣカードの外観構造図を説明する図である。
図３において、３００は非接触ＩＣカード、３０１は非接触ＩＣチップ、３０２は通信範囲を広げるためのアンテナである。
【０００８】
図４、図５は、本実施例の非接触型電子マネー決済システムにおける本人認証方法の処理手順を示すフローチャートである。
以下、図１〜図５を用いて、本実施例の非接触型電子マネー決済システムにおける本人認証方法について説明する。
始めに、非接触型電子マネー決済端末装置１００は、非接触ＩＣカード３００を検知するために電波を発振し（ステップ４０１）、非接触ＩＣカード３００が検知できたか否かを判断する（ステップ４０２）。
ステップ４０２において、非接触ＩＣカード３００が検知できなかった場合は、非接触ＩＣカード３００と非接触型電子マネー決済端末装置１００とを用いる非接触型電子マネー決済が行われない場合であるので処理を終了する。
ステップ４０２において、非接触ＩＣカード３００が検知できた場合は、非接触ＩＣチップリーダライタ部１０２を用いて、非接触ＩＣカード３００内の非接触ＩＣチップ３０１からカードデータを読取り（ステップ４０３）、非接触ＩＣチップ３０１から読取ったデータから認証用ＩＤデータを抽出し、主記憶装置１０６にセットする（ステップ４０４）。
次に、非接触型電子マネー決済端末装置１００は、ＩＤタグ内蔵の指輪２００を検知するための電波を発振し（ステップ４０５）、ＩＤタグ内蔵の指輪２００が検知できたか否かを判断する（ステップ４０６）。
【０００９】
ステップ４０６において、ＩＤタグ内蔵の指輪２００が検知できなかった場合は、メッセージ出力部１０１に認証失敗のエラーメッセージを表示し（ステップ４１１）、処理を終了する。
ステップ４０６において、ＩＤタグ内蔵の指輪２００が検知できた場合は、ＩＤタグリーダ部１０３を用いて、指輪２００に内蔵されたＩＤタグ２０１のＩＤタグデータの読取を行う（ステップ４０７）。
次に、制御部１０５が、ステップ４０７で読み取ったＩＤタグデータと、ステップ４０４で主記憶装置１０６にセットした認証用ＩＤデータとが一致するか否かを判断する（ステップ４０８）。
ステップ４０８において、ステップ４０７で読み取ったＩＤタグデータと、ステップ４０４で主記憶装置１０６にセットした認証用ＩＤデータとが「一致しない」場合は、メッセージ出力部１０１に認証失敗のエラーメッセージを表示し（ステップ４１１）、処理を終了する。
ステップ４０８において、ステップ４０７で読み取ったＩＤタグデータと、ステップ４０４で主記憶装置１０６にセットした認証用ＩＤデータとが「一致した」場合は、本人認証が完了したので、非接触ＩＣカード３００を用いた非接触型電子マネー決済を開始する（ステップ４０９）。
このステップ４０９では、本人認証の成功後に、ステップ４０４で、非接触ＩＣチップ３０１から読取った非接触ＩＣカード情報と、非接触型電子マネー決済端末装置１００に入力された取引情報を用いて取引結果を算出する。
【００１０】
次に、ステップ４０９での非接触型電子マネー決済が完了したか否かを判断する（ステップ４１０）。
ステップ４１０において、ステップ４０９での非接触型電子マネー決済が正常に完了した場合は、メッセージ出力部１０１に決済結果を表示し（ステップ４１２）、処理を終了する。
ステップ４１０において、ステップ４０９での非接触型電子マネー決済が正常に完了しなかった場合は、メッセージ出力部１０１に決済失敗のメッセージを表示し（ステップ４１３）、処理を終了する。
以上説明したように、本実施例では、非接触ＩＣカード３００と非接触型電子マネー決済端末１００とを用いた非接触型電子マネー決済時に、非接触ＩＣカード３００と、認証用ＩＤタグ内蔵の指輪２００とを同時に、非接触型電子マネー決済端末装置１００にかざすことによって本人認証が可能となるので、取引速度を維持したまま、非接触ＩＣカードの不正利用を防ぐための本人認証が可能となる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１１】
【図１】本発明の実施例の非接触型電子マネー決済システムにおける本人認証方法を実現するための非接触型電子マネー決済端末装置の制御ブロック図である。
【図２】本発明の実施例の非接触型電子マネー決済システムにおける本人認証方法を実現するためのＩＤタグ内蔵指輪の外観構造図を説明する図である。
【図３】本発明の実施例の非接触型電子マネー決済システムにおける本人認証方法を実現するための非接触ＩＣカードの外観構造図を説明する図である。
【図４】本発明の実施例の非接触型電子マネー決済システムにおける本人認証方法の処理手順を示すフローチャートである。
【図５】本発明の実施例の非接触型電子マネー決済システムにおける本人認証方法の処理手順を示すフローチャートである。
【符号の説明】
【００１２】
１００  非接触型電子マネー決済端末装置
１０１  メッセージ出力部
１０２  非接触ＩＣチップリーダライタ部
１０３  ＩＤタグリーダ部
１０４  音声部
１０５  制御部
１０６  主記憶装置
１０７  電源部
１０８  通信回線
２００  指輪
２０１  ＩＤタグ
３００  非接触ＩＣカード
３０１  非接触ＩＣチップ
３０２  アンテナ
【図１】
2009301205.tif 000003
【図２】
2009301205.tif 000004
【図３】
2009301205.tif 000005
【図４】
2009301205.tif 000006
【図５】
2009301205.tif 000007